(57)【要約】【課題】通信ポートが接続する内部の回路への負担の軽減および通信ポート外部への不要輻射の放出の抑制の両立が求められていた。【解決手段】複数の端子を有する通信ポートに接続されるプラグコネクタであって、上記通信ポートに接続されたときに、上記複数の端子の組み合わせであって、ピン番号１と２の端子の組み合わせ、ピン番号３と６の端子の組み合わせ、ピン番号４と５の端子の組み合わせ、ピン番号７と８の端子の組み合わせ、をそれぞれ抵抗を介して接続する。【選択図】図３
2014041706.tif 000002
【特許請求の範囲】
【請求項１】
複数の端子を有する通信ポートに接続されるプラグコネクタであって、
上記通信ポートに接続されたときに、上記複数の端子の組み合わせであって、ピン番号１と２の端子の組み合わせ、ピン番号３と６の端子の組み合わせ、ピン番号４と５の端子の組み合わせ、ピン番号７と８の端子の組み合わせ、をそれぞれ抵抗を介して接続することを特徴とするプラグコネクタ。
【請求項２】
上記複数の端子に対応して備える複数の配線のうち、上記端子の各組み合わせに対応する配線の各組み合せを、それぞれ表面実装の抵抗で接続することを特徴とする請求項１に記載のプラグコネクタ。
【請求項３】
基板と、当該基板から延出する複数の第二配線と、当該複数の第二配線のうち上記端子の各組み合わせに対応する第二配線の各組み合せを当該基板上で接続する抵抗と、を含む基板ユニットを、上記複数の端子に対応して備える複数の配線に装着することを特徴とする請求項１または請求項２に記載のプラグコネクタ。
【請求項４】
上記抵抗は、１００Ω〜５００Ωであることを特徴とする請求項１〜請求項３のいずれかに記載のプラグコネクタ。
【請求項５】
上記抵抗を含む回路を内蔵する筺体の後端面を、金属部材によって閉じることを特徴とする請求項１〜請求項４のいずれかに記載のプラグコネクタ。
【請求項６】
複数の端子を有する通信ポートに接続されるプラグコネクタ内にて、当該複数の端子の組み合わせであって、ピン番号１と２の端子の組み合わせ、ピン番号３と６の端子の組み合わせ、ピン番号４と５の端子の組み合わせ、ピン番号７と８の端子の組み合わせ、をそれぞれ抵抗を介して接続することを特徴とする通信ポートの終端方法。
【発明の詳細な説明】
【技術分野】
【０００１】
本発明は、プラグコネクタおよび通信ポートの終端方法に関する。
【背景技術】
【０００２】
電気導体を有する電気ブランキングプラグであって、該プラグを通信ジャック（通信ポート）に差し込むと、該導体が該ジャックの全端子間を電気的に接続してショートさせる構成が知られている（特許文献１参照。）。
【先行技術文献】
【特許文献】
【０００３】
【特許文献１】特開２０１０‐３４０４９号公報
【発明の概要】
【発明が解決しようとする課題】
【０００４】
上記文献のようにジャックの端子間をショートさせると、当該ジャックを搭載した装置内で当該ジャックと接続している回路に不要な電流が流れることで、当該回路に負担が生じてしまう。また、最悪の場合、当該回路に含まれるパルストランス等の電子部品が当該負担により破損してしまう可能性がある。一方、当該ジャックへ上記プラグを挿し込まない状態にしておくと、当該ジャックの各端子から不要輻射（ノイズ）が放出されてしまう。
【０００５】
本発明は少なくとも上記課題を解決するためになされたものであり、通信ポートが接続する内部の回路への負担の軽減および通信ポート外部への不要輻射の放出の抑制を両立することが可能なプラグコネクタおよび通信ポートの終端方法を提供する。
【課題を解決するための手段】
【０００６】
本発明の態様の一つは、複数の端子を有する通信ポートに接続されるプラグコネクタであって、上記通信ポートに接続されたときに、上記複数の端子の組み合わせであって、ピン番号１と２の端子の組み合わせ、ピン番号３と６の端子の組み合わせ、ピン番号４と５の端子の組み合わせ、ピン番号７と８の端子の組み合わせ、をそれぞれ抵抗を介して接続する構成としてある。
【０００７】
本発明によれば、ピン番号１と２の端子間を接続する抵抗、ピン番号３と６の端子間を接続する抵抗、ピン番号４と５の端子間を接続する抵抗、ピン番号７と８の端子間を接続する抵抗、のそれぞれによって、これら端子間に流れる信号が減衰される。そのため、通信ポートを搭載した装置内で当該通信ポートと接続する回路に掛かる負担が軽減され、かつ、通信ポートから外部へ発せられる不要輻射も抑制される。
【０００８】
本発明の技術的思想は、プラグコネクタという物の発明以外によっても実現可能である。例えば、複数の端子を有する通信ポートに接続されるプラグコネクタ内にて、当該複数の端子の組み合わせであって、ピン番号１と２の端子の組み合わせ、ピン番号３と６の端子の組み合わせ、ピン番号４と５の端子の組み合わせ、ピン番号７と８の端子の組み合わせ、をそれぞれ抵抗を介して接続する通信ポートの終端方法の発明も把握可能である。
【図面の簡単な説明】
【０００９】
【図１】通信ポートを示す斜視図である。
【図２】プラグコネクタの先端側の一部を示す斜視図である。
【図３】通信ポートとプラグコネクタが接続したときの状況を示す図である。
【図４】一つのペアを構成する２本の端子と接続するネットワーク機器内の回路を例示する図である。
【図５】プラグコネクタ内の回路の具体的例を示す図である。
【図６】プラグコネクタ内の回路の他の具体的例を示す図である。
【図７】プラグコネクタの後端側の一部を示す斜視図である。
【発明を実施するための形態】
【００１０】
本発明の実施形態として、プラグコネクタは、上記複数の端子に対応して備える複数の配線のうち、上記端子の各組み合わせに対応する配線の各組み合せを、それぞれ表面実装の抵抗で接続するとしてもよい。
当該構成によれば、プラグコネクタ内において抵抗を表面実装することにより、プラグコネクタの小型化に寄与する。
【００１１】
本発明の実施形態として、プラグコネクタは、基板と、当該基板から延出する複数の第二配線と、当該複数の第二配線のうち上記端子の各組み合わせに対応する第二配線の各組み合せを当該基板上で接続する抵抗と、を含む基板ユニットを、上記複数の端子に対応して備える複数の配線に装着するとしてもよい。
当該構成によれば、基板ユニットをプラグコネクタの筺体内へ装着するだけなので、本発明にかかるプラグコネクタの製造効率が向上する。
【００１２】
なお、上記抵抗は、例えば、１００Ω〜５００Ωである。
また、本発明の実施形態として、上記抵抗を含む回路を内蔵する筺体の後端面を、金属部材によって閉じるとしてもよい。
当該構成によれば、外部に対する不要輻射の漏れをより確実に防ぐことができる。
【００１３】
次に、図面を参照しながら本発明の実施形態を詳細に説明する。
図１は、通信ポート１１を斜視図により簡易的に示している。本実施形態における通信ポート１１は、ＲＪ‐４５と呼ばれる規格に対応した８ピン式のポート（ジャック）である。通信ポート１１は、当該規格に対応した形状のプラグコネクタを挿入（接続）可能な凹部を有する。通信ポート１１は、イーサネットポート、ＬＡＮ（Local Area Network）ポート、あるいはネットワークポート等とも呼ばれ、例えば、ルータやハブ等の各種ネットワーク機器１０の筺体表面に形成される。通信ポート１１は、８本の金属製の端子１２を備える。
【００１４】
図２は、本実施形態にかかるプラグコネクタ２０の先端側の一部を斜視図により簡易的に示している。プラグコネクタ２０は、通信ポート１１に挿入可能な形状の筺体２１を有し、先端側に８片の金属製の端子２２を備える。筺体２１は、例えば樹脂により成形されている。各端子２２は、プラグコネクタ２０が先端側から通信ポート１１に挿入されたときに、通信ポート１１側の各端子１２と一対一で接触する。また、プラグコネクタ２０は、筺体２１に回路２３を搭載する。回路２３は、各端子２２を含む概念であってもよい。回路２３については後述する。
【００１５】
図３は、通信ポート１１とプラグコネクタ２０が接続したときの状況を簡易的に示している。図３により、通信ポート１１の終端方法の概略が説明される。図３では、通信ポート１１の８本の端子１２に対し、端から順に（１）〜（８）の符号を付している。これら（１）〜（８）の符号は、各端子１２のピン番号を示している。例えば、通信ポート１１が、１０ＢＡＳＥ‐Ｔや１００ＢＡＳＥ‐Ｔの規格に対応する機器である場合、端子１２のピン番号（１）〜（８）と信号との対応関係は以下の通りである。
ピン番号（１）…ＴＸＰ（送信＋）
ピン番号（２）…ＴＸＮ（送信−）
ピン番号（３）…ＲＸＰ（受信＋）
ピン番号（４）…不使用
ピン番号（５）…不使用
ピン番号（６）…ＲＸＮ（受信−）
ピン番号（７）…不使用
ピン番号（８）…不使用
【００１６】
また、通信ポート１１が、１０００ＢＡＳＥ‐Ｔの規格に対応する機器である場合、端子１２のピン番号（１）〜（８）と信号との対応関係は以下の通りである。
ピン番号（１）…ＴＲＤ＋（０）  （データ０の送受信＋）
ピン番号（２）…ＴＲＤ−（０）  （データ０の送受信−）
ピン番号（３）…ＴＲＤ＋（１）  （データ１の送受信＋）
ピン番号（４）…ＴＲＤ＋（２）  （データ２の送受信＋）
ピン番号（５）…ＴＲＤ−（２）  （データ２の送受信−）
ピン番号（６）…ＴＲＤ−（１）  （データ１の送受信−）
ピン番号（７）…ＴＲＤ＋（３）  （データ３の送受信＋）
ピン番号（８）…ＴＲＤ−（３）  （データ３の送受信−）
【００１７】
プラグコネクタ２０の側では、配線２４ａが端子１２（１）へ接続する。同様に、配線２４ｂが端子１２（２）へ、配線２４ｃが端子１２（３）へ、配線２４ｄが端子１２（４）へ、配線２４ｅが端子１２（５）へ、配線２４ｆが端子１２（６）へ、配線２４ｇが端子１２（７）へ、配線２４ｈが端子１２（８）へ、それぞれ接続する。図３の配線２４ａは、プラグコネクタ２０が通信ポート１１と接続したときに端子１２（１）と接触する端子２２（端子２２ａ）の一部あるいは全部を含む概念として記載してある。同様に、配線２４ｂは、端子１２（２）と接触する端子２２（端子２２ｂ）の一部あるいは全部を含む概念であり、配線２４ｃは、端子１２（３）と接触する端子２２（端子２２ｃ）の一部あるいは全部を含む概念であり、配線２４ｄは、端子１２（４）と接触する端子２２（端子２２ｄ）の一部あるいは全部を含む概念であり、配線２４ｅは、端子１２（５）と接触する端子２２（端子２２ｅ）の一部あるいは全部を含む概念であり、配線２４ｆは、端子１２（６）と接触する端子２２（端子２２ｆ）の一部あるいは全部を含む概念であり、配線２４ｇは、端子１２（７）と接触する端子２２（端子２２ｇ）の一部あるいは全部を含む概念であり、配線２４ｈは、端子１２（８）と接触する端子２２（端子２２ｈ）の一部あるいは全部を含む概念である。
【００１８】
図３に示すように、通信ポート１１の複数の端子１２（１）〜１２（８）は、それらの特定の組み合わせ（ペア）が、プラグコネクタ２０が備える回路２３において抵抗Ｒを介して接続されている。より具体的には、端子１２（１）と端子１２（２）のペアは、当該ペアに対応する配線２４ａ，２４ｂのペアが抵抗Ｒを介して接続されることにより、接続されている。また、端子１２（３）と端子１２（６）のペアは、当該ペアに対応する配線２４ｃ，２４ｆのペアが抵抗Ｒを介して接続されることにより、接続されている。また、端子１２（４）と端子１２（５）のペアは、当該ペアに対応する配線２４ｄ，２４ｅのペアが抵抗Ｒを介して接続されることにより、接続されている。また、端子１２（７）と端子１２（８）のペアは、当該ペアに対応する配線２４ｇ，２４ｈのペアが抵抗Ｒを介して接続されることにより、接続されている。
【００１９】
図４は、上記一つのペアを構成する２本の端子１２（例えば、端子１２（１）と端子１２（２））と接続する回路Ｃを例示している。回路Ｃは、ネットワーク機器１０の内部構成の一部である。上記一つのペアを構成する２本の端子１２は、ネットワーク機器１０が搭載する制御部（ＩＣ等）との間に介在するパルストランスＴを共有している。このようなパルストランスＴは、比較的細い径の銅線によって構成されており、そのため不要な電流による負担を受けることで、最悪の場合断線等の不具合が生じ得る。そこで本実施形態では、このような負担から保護すべきパルストランスＴを共有する端子１２のペアを、プラグコネクタ２０側の回路２３において抵抗Ｒを介して接続するようにしている。
【００２０】
図５は、回路２３の具体的例を示している。図５に示すように、回路２３は、プリント基板２５において、配線２４ａ，２４ｂのペア、配線２４ｃ，２４ｆのペア、配線２４ｄ，２４ｅのペア、配線２４ｇ，２４ｈのペアのそれぞれを表面実装の抵抗Ｒによって接続している。抵抗Ｒをプリント基板２５の表面に直接半田付けする表面実装を採用することにより、回路２３の小型化や薄型化ひいてはプラグコネクタ２０全体の小型化に寄与する。ただし、抵抗Ｒの実装方法は表面実装に限る必要はなく、リード線の足を有する抵抗Ｒの当該足をプリント基板２５に形成されたスルーホールに通して半田付けするとしてもよい。なお図５では、各配線２４ａ〜２４ｈの一部を構成する各端子２２（端子２２ａ〜２２ｈ）を鎖線で示している。
【００２１】
図６は、回路２３の他の具体例を示している。図６では、回路２３はユニット化されている。回路２３は、プリント基板２５と、プリント基板２５から延出する複数のピン２５ａ〜２５ｈ（第二配線）と、ピン２５ａ〜２５ｈのうち上記端子１２（１）〜１２（８）の各組み合わせ（ペア）に対応するピン２５ａ〜２５ｈの各組み合せ（ペア）をプリント基板２５上で接続する抵抗Ｒと、を含む基板ユニット２６としてある。つまり、プリント基板２５に対する配置が端子１２（１）と端子１２（２）のペアに対応するピン２５ａ，２５ｂのペアがプリント基板２５に実装された抵抗Ｒにより接続されている。同様に、配置が端子１２（３）と端子１２（６）のペアに対応するピン２５ｃ，２５ｆのペアがプリント基板２５上で抵抗Ｒにより接続されており、配置が端子１２（４）と端子１２（５）のペアに対応するピン２５ｄ，２５ｅのペアがプリント基板２５上で抵抗Ｒにより接続されており、配置が端子１２（７）と端子１２（８）のペアに対応するピン２５ｇ，２５ｈのペアがプリント基板２５上で抵抗Ｒにより接続されている。
【００２２】
そして、このような基板ユニット２６が、プラグコネクタ２０の筺体２１内において、端子２２の後端側へ装着される。つまり、基板ユニット２６のピン２５ａが端子２２ａに接続し、同様に、ピン２５ｂが端子２２ｂに接続し、ピン２５ｃが端子２２ｃに接続し、ピン２５ｄが端子２２ｄに接続し、ピン２５ｅが端子２２ｅに接続し、ピン２５ｆが端子２２ｆに接続し、ピン２５ｇが端子２２ｇに接続し、ピン２５ｈが端子２２ｈに接続する。なお図６の例では、端子２２ａ〜２２ｈそのものが配線２４ａ〜２４ｈに相当する。
このような、抵抗Ｒを実装した基板ユニット２６を別途製造しておけば、基板ユニット２６を筺体２１内で端子２２の後端側へ装着するだけで本実施形態にかかるプラグコネクタ２０を完成させることができ、プラグコネクタ２０の製造効率が向上する。
【００２３】
このように本実施形態によれば、プラグコネクタ２０における、通信ポート１１の端子１２（１）‐端子１２（２）間を接続する抵抗Ｒ、通信ポート１１の端子１２（３）‐端子１２（６）間を接続する抵抗Ｒ、通信ポート１１の端子１２（４）‐端子１２（５）間を接続する抵抗Ｒ、および通信ポート１１の端子１２（７）‐端子１２（８）間を接続する抵抗Ｒのそれぞれによって、これら端子間に流れる信号が減衰される。そのため、プラグコネクタ２０を通信ポート１１に接続することにより、ネットワーク機器１０内で通信ポート１１と接続する回路Ｃに掛かる負担が軽減され、パルストランスＴの不具合や破損等が回避される。加えて、通信ポート１１から外部へ発せられる不要輻射も抑制される。
【００２４】
また、本実施形態では、通信ポート１１の複数の端子１２を、上記特定のペア（パルストランスＴを共有する関係にある端子１２のペア）で抵抗Ｒにより繋ぎ、上記特定のペアの関係に無い端子１２同士は繋がないようにした。そのため、上記特定のペアの関係に無い端子１２同士を通信ポート１１外で繋ぐことに起因する予期せぬ弊害や不具合を、回避することができる。なお、本実施形態では、上記抵抗Ｒは、１００Ω〜５００Ω（より具体的には３３０Ω程度）としている。
【００２５】
本発明は上述の実施形態に限られるものではなく、その要旨を逸脱しない範囲において種々の態様において実施することが可能であり、例えば以下のような変形例も可能である。上記実施形態や変形例の一部または全部を組み合わせた構成も本発明の開示範囲である。
【００２６】
図７は、プラグコネクタ２０の後端側の一部を斜視図により簡易的に示している。コネクタプラグ２０の筺体２１は、その後端面２７に開口２７ａを形成している。筺体２１には回路２３が収められている。コネクタプラグ２０は、変形例の一つとして、開口２７ａを板状の金属部材２８によって閉じる（蓋をする）構成を採用する。このように、筺体２１の後端面２７を金属部材２８によって閉じることで、プラグコネクタ２０を通信ポート１１に挿入した状況において、通信ポート１１から外部への不要輻射の漏れをより確実に防ぐことができる。
【００２７】
また、プラグコネクタ２０は、筺体２１の一部に、ユーザが触って通信ポート１１からのプラグコネクタ２０の引き抜きを容易にするための爪部材を備えてもよいし、そのような爪部材を備えないとしてもよい。本実施形態にかかるプラグコネクタ２０は、ネットワーク機器１０における不使用状態の通信ポート１１の終端に用いられることが予想される。そのため、通信ポート１１に一度挿されたプラグコネクタ２０は、基本的にはその状態が維持される。よって、上記爪部材の必要性は低いと言え、敢えて上記爪部材は付けずに、プラグコネクタ２０の形状をより簡素な構成としてもよい。
【符号の説明】
【００２８】
１０…ネットワーク機器、１１…通信ポート、１２…端子、２０…プラグコネクタ、２１…筺体、２２，２２ａ，２２ｂ，２２ｃ，２２ｄ，２２ｅ，２２ｆ，２２ｇ，２２ｈ…端子、２３…回路、２４ａ，２４ｂ，２４ｃ，２４ｄ，２４ｅ，２４ｆ，２４ｇ，２４ｈ…配線、２５…プリント基板、２５ａ，２５ｂ，２５ｃ，２５ｄ，２５ｅ，２５ｆ，２５ｇ，２５ｈ…ピン（第二配線）、２６…基板ユニット、２７…後端面、２７ａ…開口、２８…金属部材、Ｃ…回路、Ｒ…抵抗、Ｔ…パルストランス
【図１】
2014041706.tif 000003
【図２】
2014041706.tif 000004
【図３】
2014041706.tif 000005
【図４】
2014041706.tif 000006
【図５】
2014041706.tif 000007
【図６】
2014041706.tif 000008
【図７】
2014041706.tif 000009